(57)【特許請求の範囲】
【請求項１】
燃料槽，その液化燃料のガスをノズルから放出する燃料放出弁装置，放出された燃料を着火するための圧電ユニット，燃料槽で支持された火口付きの中枠、および、該中枠の少なくとも火口の上方を覆う開閉蓋、を備えるガスライターにおいて、
前記燃料槽は、横幅方向左，右端部それぞれで上端面より一体連続で上方に突出する左端支幹，右端支幹およびそれらの間で上方に突出し前記燃料放出弁装置を開操作するガス放出レバーを回動可に支持する突起を持ち；前記中枠は前記左端支幹で支持される下方に延びる左端脚および前記右端支幹で支持される右端脚を持ち；前記燃料放出弁装置は前記左端支幹と突起との間にあって、前記圧電ユニットは前記突起と前記右端支幹との間にある；ことを特徴とするガスライター。
【請求項２】
前記右端支幹の圧電ユニット対向面には、前記燃料槽の前記突起と前記右端支幹との間の上端面の圧電ユニット受け穴の内部に連続する溝があり；そこに接続導体板が挿入されて、該接続導体板が、圧電ユニットの高電圧出力端の１つに接触しかつ導電体の前記中枠に電気接続された；請求項１に記載のガスライター。
【請求項３】
前記右端脚は前記右端支幹の背面に接触し、右側から左側の横幅方向に前記右端脚，前記右端支幹，前記接続導体板および前記圧電ユニットが分布し；導電体ピンが該横幅方向に、前記右端支幹および前記右端脚を貫通して両者を結合し、しかも前記接続導体板に接触し、これにより接続導体板に前記右端脚が電気接続である；請求項２に記載のガスライター。
【請求項４】
前記開閉蓋は、その左端下部の蝶番結合用の張出しで、結合ピンによってそれを中心に回動開閉可能に、中枠の左端脚の上方で中枠に結合した；請求項１乃至３の何れか１つに記載のガスライター。
【請求項５】
前記左端支幹の上端面には竪穴があり、そこに圧縮コイルスプリングが挿入され、トグルアームの下端が該圧縮コイルスプリングの上端で下支持され、該トグルアームの上端が前記張出しの下端を下支持した；請求項４に記載のガスライター。
【請求項６】
前記トグルアームの上端に下支持ピンがあり、前記張出しの下端面には、下方から該下支持ピンの挿入できる丸底の溝が開いている；請求項５に記載のガスライター。
【発明の詳細な説明】
【技術分野】
【０００１】
本発明は、燃料槽の液化燃料のガスをノズルから放出し、圧電ユニットを用いる高電圧放電（スパーク）によって該ガスを点火するガスライターに関し、特に、燃料槽で支持された火口付きの中枠、ならびに、該中枠の少なくとも火口の上方を覆う開閉蓋、を備えるガスライターに関する。
【背景技術】
【０００２】
【特許文献１】特開２００１−２２１４３６号公報には、この種の１つのガスライターが記載されている。このガスライターの燃料槽２は、その上端面中央に上方向ｚに延びる連結柱９と燃料槽２の横幅方向ｙの両端に位置し上方向ｚに延びる２支幹、合わせて３本の、中枠６を支持する幹部材を燃料槽壁と一体連結に成形したものである。中枠６は、それと連結柱９をｘ方向に貫通するピン１０によって連結され、しかも連結柱９の両側の前記２支幹で下支えされている。このように中枠６を結合した燃料槽２は、外ケース１に挿入され、これにより中枠６の下半分も外ケース１に嵌まり込んでいる。中枠６の上半分は、外ケース１に蝶番結合した上蓋８で覆われており、上蓋８を開くことによって中枠６の上半分が露出する。中枠６には火口があり、その内方には、高温燃焼ガスを高速で上方に噴射する燃焼筒がある。上記３本の幹部材の中の、中央のものと左端のものとの間に、燃料槽よりノズル１１に燃料ガスを放出するための燃料放出弁装置があり、また、中央のものと左端のものとの間に圧電ユニット１５がある。したがってこのガスライターは横幅方向ｙの幅が広く、それが狭いスリムな形状にするのが難しい。
【０００３】
【特許文献２】特開２００３−２４０２３４号公報には、外ケースを省略して燃料槽１をケース兼用とし、しかも中枠の一部３ｂをケースの一部とし、さらには、燃料槽の中央にそれと一体連続で形成した支幹１ｂに上蓋５を回動可能にピン結合した、摺動回動型のガスライターが記載されている。中枠も該ピン結合によって支幹１ｂに連結されている。中枠の一部３ｂと支幹１ｂの間に燃料放出弁装置２があり、その反対側に圧電ユニット６があって、燃料槽１の壁と一体連続のケース壁によって背面が支えられている。圧電ユニット６は上面壁で下支えされている。このガスライターは外ケースを省略したので横幅方向ｙの幅がやや狭いが、上蓋５の摺動回動によってガス放出と放電スパークの発生をするので、すなわち上蓋の摺動回動というワンアクションで着火を行うものであるので、中枠で支持した燃焼筒の内部の気流が上蓋５の摺動によって乱されると、燃料ガス着火に失敗することがある。
【０００４】
開閉蓋を開いてから、それによって露出した着火操作ボタンを押し下げることにより圧電ユニットを押し操作しガス放出レバーの一端を押し下げるいわゆるツーアクションで着火を行うものでは、燃料ガス着火の安定性が高い。しかし、開閉蓋を支持する蝶番が幅端部に位置するので、横幅が広くなる。
【０００５】
【特許文献３】特開平１１−２４１８２２号公報には、中枠４の下半分を四角筒状にしてその内部に下方から燃料槽２の上端部を受け入れて、両者に厚み方向にねじピン１８とビス１９を通してねじ／ビスのねじ締め付けによって中枠４を燃料槽２に固定するガスライターが記載されている。中枠４を燃料槽２に固定する支幹がないので幅方向ｙの幅を狭くすることができる。しかしこのガスライターは、開閉蓋９をピン結合１２で開閉可に支持する支持部材１１を中枠４にピン結合１７し、かつ開閉蓋９に開，閉維持力をトグル形式で与えるダンパー１３を中枠４と開閉蓋９の間に介挿するので、開閉蓋９支持構造が複雑になる。しかも、ダンパー１３がトグル運動により幅方向の振れるので、その分横幅を確保しなければならない。
【発明の開示】
【発明が解決しようとする課題】
【０００６】
本発明は、横幅方向ｙを狭幅にすることができるガスライターを提供することを第１の目的とし、圧電ユニットが発生する高電圧によるガス燃料の着火の信頼性を高くすることを第２の目的とし、火口部を覆う開閉蓋の支持構造を簡単にすることを第３の目的とする。
【課題を解決するための手段】
【０００７】
（１）燃料槽(2)，その液化燃料のガスをノズルから放出する燃料放出弁装置(25)，放出された燃料を着火するための圧電ユニット(9)，燃料槽で支持された火口付きの中枠(3)、および、該中枠の少なくとも火口の上方を覆う開閉蓋(6)、を備えるガスライターにおいて、
前記燃料槽(2)は、横幅方向左，右端部それぞれで上端面より一体連続で上方に突出する左端支幹(22)，右端支幹(21)およびそれらの間で上方に突出し前記燃料放出弁装置(25)を開操作するガス放出レバー(11)を回動可に支持する突起(23,24)を持ち；前記中枠(3)は前記左端支幹(22)で支持される下方に延びる左端脚(35,36)および前記右端支幹(21)で支持される右端脚(31)を持ち；前記燃料放出弁装置(25)は前記左端支幹(22)と突起(23,24)との間にあって、前記圧電ユニット(9)は前記突起(23,24)と前記右端支幹(21)との間にある；ことを特徴とするガスライター。
なお、理解を容易にするためにカッコ内には、図面に示し後述する実施例の対応部材又は対応要素の符号を、例示として参考までに付記した。以下も同様である。
【発明の効果】
【０００８】
中枠(3)が大略で、コを反時計方向に９０度回転したコ型であって右端脚(31)と左端脚(35,36)が該コ型の下向き脚となり、燃料槽(2)の本体部が、大略で、コを時計方向に９０度回転したコ型であって左端支幹(22)と右端支幹(21)が該コ型の上向き脚となり、下向き脚と上向き脚を脚端で連結して口形状に中枠(3)と燃料槽(2)とを結合するので、即ち、従来の中央で中枠を支える支幹を省略したので、燃料放出弁装置(25)から火口に至るまでの数種の要素の組込みおよび連結を容易に行うことができ、ライターの横幅を狭くすることができる。しかも、燃料槽(2)による中枠(3)の支持強度は高い。
【発明を実施するための最良の形態】
【０００９】
（２）前記右端支幹(21)の圧電ユニット対向面には、前記燃料槽(2)の前記突起(23,24)と前記右端支幹(21)との間の上端面の圧電ユニット受け穴の内部に連続する溝があり；そこに接続導体板(8)が挿入されて、該接続導体板(8)が、圧電ユニット(9)の高電圧出力端の１つに接触しかつ導電体の前記中枠(3)に電気接続された；上記（１）に記載のガスライター。これによればコンパクトに接続導体板(8)を装着できる。
【００１０】
（３）前記右端脚(31)は前記右端支幹(21)の背面に接触し、右側から左側の横幅方向に前記右端脚(31)，前記右端支幹(21)，前記接続導体板(8)および前記圧電ユニット(9)が分布し；導電体ピン(5)が該横幅方向に、前記右端支幹(21)および前記右端脚(31)を貫通して両者を結合し、しかも前記接続導体板(8)に接触し、これにより接続導体板(8)に前記右端脚(31)が電気接続である；上記（２）に記載のガスライター。これによれば、接続導体板(8)および導電体ピン(5)によって圧電ユニット(9)の高電圧出力端に中枠(2)が電気接続されるので、圧電ユニットが発生する高電圧によるガス燃料の着火の信頼性を高くすることができる。
【００１１】
（４）前記開閉蓋(6)は、その左端下部の蝶番結合用の張出し(61)で、結合ピン(7)によってそれを中心に回動開閉可能に、中枠(3)の左端脚(35,36)の上方で中枠(3)に結合した；上記（１）乃至（３）の何れか１つに記載のガスライター。
【００１２】
（５）前記左端支幹(22)の上端面には竪穴があり、そこに圧縮コイルスプリング(13)が挿入され、トグルアーム(14)の下端が該圧縮コイルスプリング(13)の上端で下支持され、該トグルアーム(14)の上端(142)が前記張出し(61)の下端を下支持した；上記（４）に記載のガスライター。これによれば、開閉蓋(6)を閉維持および開維持するトグル機構が左端支幹(22)で支持されて左端支幹(22)と開閉蓋(6)左端下部の間に位置するので、トグル機構が簡単であって組み付けが簡単であり、しかもライターの横幅を狭くすることができる。
【００１３】
（６）前記トグルアーム(14)の上端に下支持ピン(142)があり、前記張出し(61)の下端面には、下方から該下支持ピン(142)の挿入できる丸底の溝(63)が開いている；上記（５）に記載のガスライター。これによれば、中枠(2)およびトグル機構に対する開閉蓋(6)の組み付けが簡単である。
【００１４】
本発明の他の目的および特徴は、図面を参照した以下の実施例の説明より明らかになろう。
【実施例】
【００１５】
図１の（ａ）に本発明の1実施例の正面の拡大図を示し、図１の（ｂ）にはその左側面を、図１の（ｃ）には外ケース１を除去した左側面を示す。外ケース１に収納された燃料槽２には導電体の中枠３が、ピン４および５（図２，３）で連結されており、この中枠３に開閉蓋６がピン７で開閉回動可に連結されている。
【００１６】
図２には図１の（ａ）に示すガスライターの縦断面を示し、図３には燃料槽２の本体部，中枠３および接続導体板８の外観を示す。燃料槽２の本体部には、その上端面より上方に突出する支幹２１，２２，ガイド突起２３，支点突起２４がある。
【００１７】
右端の支幹２１は、圧電ユニット９の背面を支えしかも中枠３の右端脚３１を支える。この支幹２１には、燃料槽２の本体部の上端面の圧電ユニット受け穴の内部に連続する溝があり、そこに接続導体板８が挿入されて、接続導体板８の下端が、圧電ユニット９の下部の接地用導体（高電圧出力端の１つ）９１の下にあってそれに接触している。接続導体板８の上端部は圧電ユニット９の背部にあって、中枠３の右端脚３１および右端支幹２１を貫通するピン（金属導体）５で押されており、これにより接続導体板８はピン５を介して中枠３に電気的に接続されている。したがって、圧電ユニット９の下部の接地用導体９１は、圧電ユニット９の下部の接地用導体に電気的に接続されている。また、ピン５とその外端部を押さえる外ケース１によって、中枠３の右端脚３１が、燃料槽２の右端支幹２１に、縦方向ｚ，横幅方向ｙおよび厚み方向ｘのいずれにも移動不可に連結されている。
【００１８】
図２において、燃料槽２の本体部の、左端支幹２２と突起２３，２４との間には、燃料放出弁装置２５が装着されており、その燃料放出ノズルに結合した空気混合管２６に、コ型のガス放出レバー１１の左端（頭部）が係合している。ガス放出レバー１１の開いた２脚は支点突起２４で下支えされ、かつ脚間にあるガイド突起２３で昇降自在に、厚み方向ｘにはずれないように案内されている。圧電ユニット９の摺動操作子９２には着火操作ボタン１２が被さっており、この着火操作ボタン１２が、中枠３の筒状枠部３２および右端脚３１で上下方向ｚには昇降自在であるが、横幅方向ｙおよび厚み方向ｘに移動不可に案内されている。
【００１９】
着火操作ボタン１２には圧電ユニット９を抱くサイド壁１２１があり、ユーザが着火操作ボタン１２を押し下げるときには、サイド壁１２１の下端がガス放出レバー１１の尾端（右端）を押下し、これによりガス放出レバー１１が図２上に点線で示す姿勢に回動し、燃料放出弁装置２５のガス放出ノズルを押し上げ、これにより燃料槽２の燃料がガス放出ノズルに出て、空気混合管２６，可撓管２７を通って、導電体の燃焼ノズル２８を通って、中枠３の火口台３３にあけた燃焼筒空間に出る。該筒空間の上端が火口である。該筒空間の下端は、燃焼ノズル２８が下から上に貫通した内フランジ付きのセラミック筒２９（絶縁体）で閉じられている。火口の下方に触媒ワイヤ３４がある。
【００２０】
燃焼ノズル２８の下端には、圧電ユニット９の高電圧出力端のもう１つである電気リード９３が巻きつけられており、これにより燃焼ノズル２８は該高電圧出力端に電気的に接続されている。着火操作ボタン１２を押し下げにより、ガス放出レバー１１を介して燃料放出弁装置２５が弁開になって火口台３３の燃焼筒空間に出るようになった直後に、圧電ユニット９の内部のラッチが外れて、押し下げにより圧縮されていた圧縮コイルスプリングが反発伸張してプランジャを駆動し、このプランジャが圧電素子を打撃し、圧電素子が数キロボルトあるいは数十キロボルトの高電圧を発生し、これが高電圧出力端（９１／９３）間にあらわれる。この高電圧が、火口台３３の燃焼筒空間にある触媒ワイヤ止めリングと燃焼ノズル２８の上端２８１の間に加わり、それらの間に高電圧放電、いわゆる電気火花あるいはスパーク、が発生する。これにより燃焼筒空間の燃料ガスが着火する。燃焼ノズル２８から火口台３３の燃焼筒空間には空気が混合した燃料ガスが出るので、着火により空気混合ガスが高速燃焼ガス流となって火口台３３の火口から吹き出す。
【００２１】
中枠３の左端には一対の脚３５，３６（図３）があり、これらが燃料槽２の本体部の左端支幹２２を挟んでいる。脚３５，３６は、それと左端支幹２２を貫通するピン４で、左端支幹２２に連結されている。すなわち中枠３は、その左／右端の脚３５，３６／３１部で、燃料槽２の左／右支幹２２／２１で下支えされしかもピン４／５で連結されている。
【００２２】
燃料槽２の左端支幹２２には竪穴があり、そこに圧縮コイルスプリング１３が入っている。圧縮コイルスプリング１３の上端には、トグルアーム１４の下端の突起１４１が嵌まり込んでいる。トグルアーム１４はその上端の、本体と一体連続成形のピン１４２で、開閉蓋６の左端下方の、蝶番結合用の張出し６１の下端面に切り込んだ厚み方向ｘに伸びる丸底の嵌め合い溝６３に嵌まり込んでいる。
【００２３】
図４に、開閉蓋６とトグルアーム１４を分解して示し、図５にはトグルアーム１４の立体形状を示す。開閉蓋６が蝶番結合用の張出し６１の通し穴を通ったピン７で中枠３に回動（開閉）自在に結合されており、図２に示すように、開閉蓋６を閉じているときには、トグルアーム１４の上端のピン１４２が、開閉蓋６の回動中心であるピン７の下方、かつ左側にあるので、圧縮コイルスプリング１３がトグルアーム１４を上方に押し上げようとする反発力が、トグルアーム１４を介して開閉蓋６に時計方向（閉じ方向）の回転駆動力として加わっているので、開閉蓋６が閉を維持する。ユーザが図２において開閉蓋６の右端側面を親指で擦り上げるよう反時計方向（開き方向）に上げると、トグルアーム１４の上端のピン１４２が回動中心ピン７の直下を過ぎてピン７の直下よりも右側に移動した時点から、圧縮コイルスプリング１３がトグルアーム１４を上方に押し上げようとする反発力が、トグルアーム１４を介して開閉蓋６に反時計方向（開き方向）の回転駆動力として加わる。これにより開閉蓋６が自動的に開き回動し、垂直姿勢からさらに少し左側に倒れた姿勢で、開閉蓋６の蝶番結合用の張出し６１が外ケース１の上端面にあたり、そこで開き回動が止まり、開閉蓋６はこの開き姿勢を維持する。
【００２４】
この開き姿勢のときに、ユーザが着火操作ボタン１２を押し下げると、先に説明したように、高速燃焼ガス流が火口台３３の火口から吹き出す。着火操作ボタン１２の押し下げを止めると、圧電ユニット９内部の圧縮コイルスプリングの戻し力によって着火操作ボタン１２が押し戻され、これにより燃料槽２からの燃料ガスの流出が止まり、燃焼ガス流が消失する。ユーザが開閉蓋６を時計方向（閉方向）に廻すと、トグルアーム１４の上端のピン１４２が回動中心ピン７の直下より左側に移動した時点から、圧縮コイルスプリング１３がトグルアーム１４を上方に押し上げようとする反発力が、トグルアーム１４を介して開閉蓋６に時計方向（閉じ方向）の回転駆動力として加わるので、開閉蓋６が自動的に閉じ回動し、図２に示す閉じ姿勢となり、この閉じ姿勢を維持する。
【００２５】
なお、図２を参照すると、外ケース１の下底の穴を通った止めねじ１５が燃料槽２の下底の雌ねじ穴にねじ込まれ、これにより燃料槽２が外ケース１の下底に向う方向に引かれている。１６は、燃料ボンベから燃料槽２に液化燃料を注入するための燃料注入弁装置である。１７は、火炎の強さ（燃料流量）を調整するための調整ねじである。
【図面の簡単な説明】
【００２６】
【図１】（ａ）は本発明の１実施例の拡大正面図、（ｂ）は左側面図、（ｃ）は外ケース１を取り外した左側面図である。
【図２】図１に示すガスライターの縦断面図である。
【図３】図１に示すガスライターの燃料槽２の本体部，中枠３および電機接続導体板８の分解斜視図である。
【図４】図１に示すガスライターの開閉蓋６およびトグルアーム１４を示す正面図である。
【図５】図４に示すトグルアーム１４の外形を示す斜視図である。
【符号の説明】
【００２７】
１：外ケース
２：燃料槽
２１，２２：支幹
２３：ガイド突起
２４：支点突起
２５：燃料放出弁装置
２６：空気混合管
２７：可撓管
２８：燃焼ノズル
２９：セラミック筒
３：中枠
３１：右端脚
３２：筒状枠部
３３：火口台
３４：触媒ワイヤ
３５，３６：左端脚
４，５：ピン
６：開閉蓋
７：ピン
８：接続導体板
９：圧電ユニット
９１：接続導体
９２：摺動操作子
１１：ガス放出レバー
１２：着火操作ボタン
１２１：サイド壁
１３：圧縮コイルスプリング
１４：トグルアーム
１４１：突起
１４２：ピン
１５：止めねじ
１６：燃料注入弁装置
１７：流量調整ねじ
【図１】
0003729823.tif 000002
【図２】
0003729823.tif 000003
【図３】
0003729823.tif 000004
【図４】
0003729823.tif 000005
【図５】
0003729823.tif 000006